【事件の表示】
　特許第2779149号　「印刷装置」の請求項1に係る特許に対する特許異議申立てについて、次のとおり決定する。　
【結　論】
訂正を認める。
特許第2779149号の請求項1に係る特許を維持する。
【理　由】
 理　由
１．手続きの経緯
　特許第2779149号の請求項1に係る発明は、平成7年10月31日に特許出願され、平成10年5月 8日にその特許の設定登録がされ、その後異議申し立て人、ハイデルベルガー　ドルツクマシーネン　アクチエンゲゼルシャフトにより特許異議の申立がなされ、取消理由通知がなされ、その指定期間内である平成11年8月23日に訂正請求がされた後、訂正拒絶理由が通知され、訂正拒絶理由に対して手続補正書が提出されたものである。
　
２．訂正の適否についての判断
(1)訂正請求に対する補正の適否について
　特許権者は訂正請求書の訂正事項ａ（特許請求の範囲の請求項１の訂正）を「圧胴と版胴又は版ベルトによって形成された印刷装置において、圧胴の周面に多数の吸着孔を有する多孔シートを着脱可に被装し、該圧胴に上記多孔シートで被装された周面において開口する多数の吸引孔を上記吸着孔と連通するように配し、上記多孔シートの前端縁と後端縁に各端縁を抱着する断面U字形の金具から成る係止部材を夫々取り付け、他方上記圧胴には上記多孔シートを圧胴周面に密着せしめる緊張手段を設け、該緊張手段を多孔シートの送り方向一端を把持する第1引留具と送り方向他端を把持する第2引留具とにより形成し、該第1，第2引留具は把持と把持解除とが可能な構造であり、且つ該第1，第2引留具を圧胴の周面に切設した収容部に収容して該収容部底壁にボルトによって着脱可能に取り付けると共に、該ボルトの回動により少なくとも一方の引留具を多孔シートに引張力を与える方向に微小移動可能な構造にし、該緊張手段を形成する第1，第2引留具を上記係止部材を形成する上記U字形金具の口縁部に係合して上記第1，第2引留具の上記移動により多孔シートに引張力を与える構成とし、上記多孔シートの表面に印刷用枚葉紙を吸着し版胴により印刷を行うことを特徴とする印刷装置。」と補正するとともに、全文訂正明細書の「発明の詳細な説明」中の関連する記載を補正しているので、訂正請求書の要旨の変更の有無を検討する。
イ．訂正請求書2頁下から6行~3頁7行の訂正事項ａの補正
　この補正は、第1及び第2引留具を圧胴に設ける手段としてボルトによって着脱可能に取り付けることを限定するとともに、一方の引留具を微少移動させるための手段をボルトに限定するものであり、その具体的な構造や手段については訂正請求書に添付した明細書及び図面に記載されているから、特許請求の範囲の減縮に該当する。
ロ．全文訂正明細書の「発明の詳細な説明」の補正は、請求項１を減縮したことにあわせてその記載を補正するもので、明瞭でない記載の釈明に該当する。
　以上のことからこの補正は訂正請求書の要旨を変更するものでなく、当該訂正請求に対する補正は特許法第120条の4第3項において準用する同法第131条第2項の規定に適合する。
(2)訂正の内容
　特許権者は以下のような訂正を請求している。
イ．訂正事項ａ
　特許明細書中の特許請求の範囲の請求項1を「圧胴と版胴又は版ベルトによって形成された印刷装置において、圧胴の周面に多数の吸着孔を有する多孔シートを着脱可に被装し、該圧胴に上記多孔シートで被装された周面において開口する多数の吸引口を上記吸着孔と連通するように配し、上記多孔シートの表面に印刷用枚葉紙を吸着し版胴により印刷を行うことを特徴とする印刷装置。」から「圧胴と版胴又は版ベルトによって形成された印刷装置において、圧胴の周面に多数の吸着孔を有する多孔シートを着脱可に被装し、該圧胴に上記多孔シートで被装された周面において開口する多数の吸引孔を上記吸着孔と連通するように配し、上記多孔シートの前端縁と後端縁に各端縁を抱着する断面U字形の金具から成る係止部材を夫々取り付け、他方上記圧胴には上記多孔シートを圧胴周面に密着せしめる緊張手段を設け、該緊張手段を多孔シートの送り方向一端を把持する第1引留具と送り方向他端を把持する第2引留具とにより形成し、該第1，第2引留具は把持と把持解除とが可能な構造であり、且つ該第1，第2引留具を圧胴の周面に切設した収容部に収容して該収容部底壁にボルトによって着脱可能に取り付けると共に、該ボルトの回動により少なくとも一方の引留具を多孔シートに引張力を与える方向に微小移動可能な構造にし、該緊張手段を形成する第1，第2引留具を上記係止部材を形成する上記U字形金具の口縁部に係合して上記第1，第2引留具の上記移動により多孔シートに引張力を与える構成とし、上記多孔シートの表面に印刷用枚葉紙を吸着し版胴により印刷を行うことを特徴とする印刷装置。」と訂正。
ロ．訂正事項ｂ
　特許明細書中の特許請求の範囲の請求項2，3，4を削除。
ハ．訂正事項ｃ
　特許明細書の段落[0010]を「上記圧胴には上記多孔シートを圧胴周面に密着せしめる緊張手段を設け、吸着と加圧印刷を適正にする。又上記多孔シートは透視可能なゴム又は合成樹脂で形成し、吸引孔と吸着孔とを視認にて適合できるようにする。」から「上記圧胴には上記多孔シートを圧胴周面に密着せしめる緊張手段を設け、この緊張手段として多孔シートの送り方向一端を把持する第1引留具と送り方向他端を把持する第2引留具を設ける。該第1，第2引留具は把持と把持解除とが可能な構造であり、且つ該第1，第2引留具を圧胴の周面に切設した収容部に収容して該収容部底壁にボルトによって着脱可能に取り付けると共に、該ボルトの回動により少なくとも一方の引留具を多孔シートに引張力を与える方向に微小移動可能な構造にした。」と訂正。
ニ．訂正事項ｄ
　特許明細書の段落[0011]を「更に上記多孔シートの送り方向前端縁と後端縁に縁を抱着するようにかしめ付けられた金具の如き係止部材を取り付け、上記緊張手段を上記係止部材に係合して多孔シートに引張力を与える構成とし、引張力が確実に与えられるようにした。」から「他方上記多孔シートの送り方向前端縁と後端縁に各端縁を抱着するように断面U字形の金具から成る係止部材を取り付け、該緊張手段を形成する第1，第2引留具を上記係止部材を形成する上記U字形金具の口縁部に係合して上記第1，第2引留具の少なくとも一方の移動により多孔シートに引張力を確実に与える構成とした。」と訂正。
ホ．訂正事項ｅ
　特許明細書の段落[0018]を「図1乃至図5は圧胴1と版胴2から成る印刷装置をその動作工程を以って示す図であり、図6は上記圧胴1に着脱可に被装される多孔の吸着孔4を有する多孔シート3を示している」から「図1乃至図5は圧胴1と版胴2から成る印刷装置をその動作工程を以って示す図であり、図6は上記圧胴1に着脱可に被装される多数の吸着孔4を有する多孔シート3を示している。」と訂正。
ヘ．訂正事項ｆ
　特許明細書の段落[0026]を「圧胴周面には引留具9，10の収容部11間に亘って延在するシート収容部12を形成し、多孔シート3を該シート収容部12内に収容し、その両端を上記第1，第2引留具9，10にて把持しつつ引張力を与えて圧胴周面即ち多孔シート表面に密着せしめる。上記シート収容部12は多孔シート3の厚みと等しい深さを有し、シート3の表面を圧胴周面に略一致させる。」から「圧胴周面には引留具9，10の収容部11間に亘って延在するシート収容部12を形成し、多孔シート3を該シート収容部12内に収容し、その両端を上記第1，第2引留具9，10にて把持しつつ引張力を与えて圧胴周面即ち多孔シート収容部12表面に密着せしめる。上記シート収容部12は多孔シート3の厚みと等しい深さを有し、シート3の表面を圧胴周面に略一致させる。」と訂正。
ト．訂正事項ｇ
　特許明細書の段落[0002]、[0003]、[0028]、[0029]、[0030]中の「クランブ」の記載 を「クランプ」と訂正。なお、訂正請求書では各段落中の記載箇所を特定するため「第1行目」などと記載しているが、各段落中におけるすべての「クランブ」を「クランプ」とするものであるし、各段落における記載位置を「行」では特定できないので、上記のように訂正事項を認定した。
チ．訂正事項h
　特許明細書の段落[0008]の「吸引口」を「吸引孔」と訂正。ここにおいても訂正事項ｇと同様に訂正事項を認定した。
リ．訂正事項i
　特許明細書の段落[0027]を「上記第1，第2引留具9，10は例えばボルト13，14によって圧胴1に着脱可に取り付け、一方の引留具10はボルト14の回動によって進退可に取り付け、上記シートへの引張力を付与する。ボルト14は他の引張力調整手段を用いることができる。」から「上記第1，第2引留具9，10はボルト13，14によって圧胴1に着脱可に取り付け、一方の引留具10はボルト14の回動によって進退可に取り付け、上記シートへの引張力を付与する。」と訂正。
(3)訂正の目的の適否、新規事項の有無及び拡張・変更の存否
イ．訂正事項ａは圧胴の周面に多孔シートを着脱可に被装するための具体的手段を加入するものであり、その具体的手段については訂正前の特許明細書の段落[0024]、[0025]、[0026]、[0027]、[0028]、[0029]、[0030]に記載されているから、この訂正は特許請求の範囲の減縮に該当するものであって、新規事項の追加に該当せず、また実質上特許請求の範囲を拡張し、変更するものでもない。
ロ．訂正事項ｂは請求項2，3，4を削除するものであり、特許請求の範囲の減縮に該当する。
ハ．訂正事項ｃおよびｄは、特許請求の範囲の請求項1の訂正に伴い、「課題を解決する手段」の記載を請求項1の記載と一致させるための訂正であり、明瞭でない記載の釈明に該当する。
ニ．訂正事項ｅは「多孔」を「多数」と訂正するもので、特許明細書添付の図6の記載からみて、誤記の訂正に該当する。
ホ．訂正事項ｆは「多孔シート」を「多孔シート収容部」と訂正するもので、特許明細書の段落[0026]の全体の記載及び図1の記載からみて、誤記の訂正に該当する。
ヘ．訂正事項ｇは「クランブ」を「クランプ」と訂正するもので、誤記の訂正に該当する。
ト．訂正事項ｈは「吸引口」を「吸引孔」と訂正するもので、明細書全体の記載を「吸引孔」に統一するものであり、誤記の訂正に該当する。
チ．訂正事項ｉは特許請求の範囲の請求項1の訂正にあわせて段落[0027]の記載を訂正するもので、明瞭でない記載の釈明に該当する。
　以上のようにこの訂正は特許法120の4第2項の但し書き第1号から3号に該当し、しかも新規事項の追加に該当せず、また実質上特許請求の範囲を拡張し、変更するものでもない。
(4)独立特許要件
イ．訂正明細書の請求項1に係る発明
　訂正明細書の請求項1に係る発明はその特許請求の範囲の請求項1に記載された次の事項により特定されるとおりのものである。
「圧胴と版胴又は版ベルトによって形成された印刷装置において、圧胴の周面に多数の吸着孔を有する多孔シートを着脱可に被装し、該圧胴に上記多孔シートで被装された周面において開口する多数の吸引孔を上記吸着孔と連通するように配し、上記多孔シートの前端縁と後端縁に各端縁を抱着する断面U字形の金具から成る係止部材を夫々取り付け、他方上記圧胴には上記多孔シートを圧胴周面に密着せしめる緊張手段を設け、該緊張手段を多孔シートの送り方向一端を把持する第1引留具と送り方向他端を把持する第2引留具とにより形成し、該第1，第2引留具は把持と把持解除とが可能な構造であり、且つ該第1，第2引留具を圧胴の周面に切設した収容部に収容して該収容部底壁にボルトによって着脱可能に取り付けると共に、該ボルトの回動により少なくとも一方の引留具を多孔シートに引張力を与える方向に微小移動可能な構造にし、該緊張手段を形成する第1，第2引留具を上記係止部材を形成する上記U字形金具の口縁部に係合して上記第1，第2引留具の上記移動により多孔シートに引張力を与える構成とし、上記多孔シートの表面に印刷用枚葉紙を吸着し版胴により印刷を行うことを特徴とする印刷装置。」
ロ．引用刊行物記載の発明
　補正前の訂正明細書の請求項1に係る発明に対して，当審が訂正拒絶理由通知において示した刊行物には以下の発明が記載されている。
刊行物1：特開昭61-11253号公報
　「圧胴と版胴によって形成された印刷装置において、圧胴２３の周面に多数の貫通部分３を有する被覆１１を張着し、該圧胴に周面において開口する多数の孔13を貫通部分3と連通するように配した点。」が記載されている。
刊行物2：実願昭56 -181395号(実開昭58 -86358号)のマイクロフィルム、刊行物3：実願昭58-70162号(実開昭59-174242号)のマイクロフィルム、刊行物4：特開平5‐220935号公報、刊行物5：特開平6-255085号公報
　刊行物2から 5には「圧胴等にブランケットを装着する構成であって、ゴムブランケットの前後各端縁に断面U字型金具からなる係止部材を抱着する点、及びゴムブランケットの少なくとも一方端縁を巻き棒に巻き付け、巻き棒を回動させることによってゴムブランケットに引張力を与えながら取り付ける点。」が記載されている。
ハ．対比・判断
　訂正明細書の請求項1に係る発明と上記刊行物1~5に記載の発明と対比すると.上記刊行物1~5のいずれにも訂正明細書の請求項1に係る発明を特定する事項である「第1，第2引留具を収容部底壁にボルトによって着脱可能に取付けると共に、該ボルトの回動により少なくとも一方の引留具を多孔シートに引張力を与える方向に微少移動可能な構造にし」た点、すなわち多孔シートを圧胴の周面に着脱可に被装するとともに、多孔シートを圧胴周面に密着せしめる緊張手段としてボルトを用いる点が記載されておらず、当該事項により訂正明細書の請求項1に係る発明は、「第1，第2引留具は収容部底壁に支持させつつボルト取り付け箇所を任意に設定して、緊張力に対し安定且つ強固に取り付けることができ、さらに第1，第2引留具の一方はボルトの回動により、ボルトのネジ山のピッチに応じた微調が適切に行え、緊張力に対する引留強度が大であり安定である」という上記被装手段や緊張手段をボルトとした構成から導かれるとともに、且つ平成１１年１２月７日付の特許異議意見書に記載の顕著な作用効果を奏するものであり、訂正明細書の請求項1に係る発明が上記刊行物1~5記載の発明に基づいて当業者が容易に発明することができたものとはいえない。
　したがって、訂正明細書の請求項1に係る発明は特許出願の際、独立して特許を受けることができるものである。
(5)むすび
　以上の通りであるから、上記訂正は特許法第120条の4第2項及び同条第3項において準用する第126条第2項、第3項、第4項の規定に適合するので、当該訂正を認める。
　
３．特許異議甲立について
　平成11年12月7日付けで補正された平成11年8月23日付けで提出された訂正明細書の請求項1に係る発明(以下「本件発明」という)は、その特許請求の範囲の請求項1に記載された事項により特定されるものである。
(1)申し立ての理由の概要
　特許異議申し立て人、ハイデルベルガー　ドルツクマシーネン　アクチェンゲゼルシャフトは、請求項1~4に係る発明は、上記刊行物1に記載された発明に基づいて当業者が容易になしえた発明であるから、特許法第29条第2項の規定により特許を受けることができないものであるから、特許を取り消すべきと主張している。
(2)判断
　本件発明は上記2．訂正の適否についての判断(4)．独立特許要件の項で示したように、取消理由通知及び訂正拒絶理由通知で示した刊行物1~5に記載された発明から容易に発明をすることができたものとすることはできない。
　また、ほかに本件発明の特許を取り消すべき理由を発見しない。
　よって、結論のとおり決定する。に発明をすることができたものとすることはできない。
【異議決定日】
平成１２年２月１日（２０００．２．１）
【訂正の要旨】
訂正の要旨
１．訂正事項ａ
　特許第２７７９１４９号発明の明細書中、特許請求の範囲の請求項１「圧胴と版胴又は版ベルトによって形成された印刷装置において、圧胴の周面に多数の吸着孔を有する多孔シートを着脱可に被装し、該圧胴に上記多孔シートで被装された周面において開口する多数の吸引口を上記吸着孔と連通するように配し、上記多孔シートの表面に印刷用枚葉紙を吸着し版胴により印刷を行うことを特徴とする印刷装置。」とあるのを、特許請求の範囲の減縮を目的として「圧胴と版胴又は版ベルトによって形成された印刷装置において、圧胴の周面に多数の吸着孔を有する多孔シートを着脱可に被装し、該圧胴に上記多孔シートで被装された周面において開口する多数の吸引孔を上記吸着孔と連通するように配し、上記多孔シートの前端縁と後端縁に各端縁を抱着する断面Ｕ字形の金具から成る係止部材を夫々取り付け、他方上記圧胴には上記多孔シートを圧胴周面に密着せしめる緊張手段を設け、該緊張手段を多孔シートの送り方向一端を把持する第１引留具と送り方向他端を把持する第２引留具とにより形成し、該第１，第２引留具は把持と把持解除とが可能な構造であり、且つ該第１，第２引留具を圧胴の周面に切設した収容部に収容して該収容部底壁にボルトによって着脱可能に取り付けると共に、該ボルトの回動により少なくとも一方の引留具を多孔シートに引張力を与える方向に微小移動可能な構造にし、該緊張手段を形成する第１，第２引留具を上記係止部材を形成する上記Ｕ字形金具の口縁部に係合して上記第１，第２引留具の上記移動により多孔シートに引張力を与える構成とし、上記多孔シートの表面に印刷用枚葉紙を吸着し版胴により印刷を行うことを特徴とする印刷装置。」と訂正
２．訂正事項ｂ
　同明細書中、特許請求の範囲の請求項２，３，４を特許請求の範囲の減縮を目的として削除。
３．訂正事項。
　同明細書中、段落［００１０］「上記圧胴には上記多孔シートを圧胴周面に密着せしめる緊張手段を設け、吸着と加圧印刷を適正にする。又上記多孔シートは透視可能なゴム又は合成樹脂で形成し、．吸引孔と吸着孔とを視認にて適合できるようにする。」とあるのを、明瞭でない記載の釈明を目的として「上記圧胴には上記多孔シートを圧胴周面に密着せしめる緊張手段を設け、この緊張手段として多孔シートの送り方向一端を把持する第１引留具と送り方向他端を把持する第２引留具を設ける。該第１，第２引留具は把持と把持解除とが可能な構造であり、且つ該第１，第２引留具を圧胴の周面に切設した収容部に収溶して該収容部底壁にボルトによって着脱可能に取り付けると共に、該ボルトの回動により少なくとも一方の引留具を多孔シートに引張力を与える方向に微小移動可能な構造にした。」と訂正
４．訂正事項ｄ
　同明細書中、段落［００１１］「更に上記多孔シートの送り方向前端縁と後端縁に縁を抱着するようにかしめ付けられた金具の如き係止部材を取り付け、上記緊張手段を上記係止部材に係合して多孔シートに引張力を与える構成とし、引張力が確実に与えられるようにした。」とあるのを、明瞭でない記載の釈明を目的として「他方上記多孔シートの送り方向前端縁と後端縁に各端縁を抱着するように断面Ｕ字形の金具から成る係止部材を取り付け、該緊張手段を形成する第１，第２引留具を上記係止部材を形成する上記Ｕ字形金具の口縁部に係合して上記第１，第２引留具の少なくとも一方の移動により多孔シートに引張力を確実に与える構成とした。」と訂正。
５．訂正事項ｅ
　同明細書中、段落［００１８］「図１乃至図５は圧胴１と版胴２から成る印刷装置をその動作工程を以って示す図であり、図６は上記圧胴１に着脱可に被装される多孔の吸着孔４を有する多孔シート３を示している」とあるのを、誤記の訂正を目的として「図１乃至図５は圧胴１と版胴２から成る印刷装置をその動作工程を以って示す図であり、図６は上記圧胴１に着脱可に被装される多数の吸着孔４を有する多孔シート３を示している。」と訂正。
６．訂正事項ｆ
　同明細書中、段落［００２６］「圧胴周面には引留具９，１０の収容部１１間に亘って延在するシート収容部１２を形成し、多孔シート３を該シート収容部１２内に収容し、その両端を上記第１，第２引留具９，１０にて把持しつつ引張力を与えて圧胴周面即ち多孔シート表面に密着せしめる。上記シート収容部１２は多孔シート３の厚みと等しい深さを有し、シート３の表面を圧胴周面に略一致させる。」とあるのを、誤記の訂正を目的として「圧胴周面には引留具９，１０の収容部１１間に亘って延在するシート収容部１２を形成し、多孔シート３を該シート収容部１２内に収容し、その両端を上記第１，第２引留具９，１０にて把持しつつ引張力を与えて圧胴周面即ち多孔シート収容部１２表面に密着せしめる。上記シート収容部１２は多孔シート３の厚みと等しい深さを有し、シート３の表面を圧胴周面に略一致させる。」と訂正。
７．訂正事項ｇ
　同明細書中、明細書の段落［０００２］、［０００３］、［００２８］、［００２９］、［００３０］中の「クランブ」を、誤記の訂正を目的として「クランプ」と訂正。
８．訂正事項ｈ
　同明細書中、段落［０００８］の「吸引口」を、誤記の訂正を目的として「吸引孔」と訂正。
９．訂正事項ｉ
　同明細書中、段落［００２７］「上記第１，第２引留具９，１０は例えばボルト１３，１４によって圧胴１に着脱可に取り付け、一方の引留具１０はボルト１４の回動によって進退可に取り付け、上記シートヘの引張力を付与する。ボルト１４は他の引張力調整手段を用いることができる。」とあるのを、明瞭でない記載の釈明を目的として「上記第１，第２引留具９，１０はボルト１３，１４によって圧胴１に着脱可に取り付け、一方の引留具１０はボルト１４の回動によって進退可に取り付け、上記シートヘの引張力を付与する。」と訂正。
（５４）【発明の名称】
印刷装置
（５７）【特許請求の範囲】
　【請求項１】圧胴と版胴又は版ベルトによって形成された印刷装置において、圧胴の周面に多数の吸着孔を有する多孔シートを着脱可に被装し、該圧胴に上記多孔シートで被装された周面において開口する多数の吸引孔を上記吸着孔と連通するように配し、
上記多孔シートの前端縁と後端縁に各端縁を抱着する断面Ｕ字形の金具から成る係止部材を夫々取り付け、他方上記圧胴には上記多孔シートを圧胴周面に密着せしめる緊張手段を設け、該緊張手を多孔シートの送り方向一端を把持する第１引留具と送り方向他端を把持する第２引留具とにより形成し、該第１，第２引留具は把持と把持解除とが可能な構造であり、且つ該第１，第２引留具を圧胴の周面に切設した収容部に収容して該収容部底壁にボルトによって着脱可能に取り付けると共に、該ボルトの回動により少なくとも一方の引留具を多孔シートに引張力を与える方向に微小移動可能な構造にし、該緊張手段を形成する第１，第２引留具を上記係止部材を形成する上記Ｕ字形金具の口縁部に係合して上記第１，第２引留具の上記移動により多孔シートに引張力を与える構成とし、
【発明の詳細な説明】
　　　【０００１】
　　【発明の属する技術分野】
　この発明は圧胴と版胴又は版ベルトから成る印刷装置に関する。
　　　【０００２】
　　【従来の技術】
　印刷用枚葉紙、例えば紙幣や証券、葉書等の小切れにした枚葉紙に番号や記号等を印刷する場合、従来は該印刷用枚葉紙の前端を紙銜え装置により
クランプ
　　　【０００３】
　　【発明が解決しようとする課題】
　然しながら上記印刷装置においては
クランプ
　　　【０００４】
　又紙銜え装置はその開閉を制御する機構や往復動ずる機構等により複雑となりがちであるばかりか、各機構要素の正確なタイミング制御が求められる。
　　　【０００５】
　又機構要素の滅損による故障が多く遊びによる印刷位置ずれを生ずる難点を有している。
　　　【０００６】
　本発明は枚葉紙の端縁に印刷を施す要請に応える等、上記課題を解決すると共に、多孔シートの交換により各種サイズの枚葉紙への印刷にも対応できるようにしたものである。
　　　【０００７】
　　【課題を解決するための手段】
　この発明は圧胴と版胴又は版ベルトによって枚葉紙に印刷を施す印刷装置に関する。
　　　【０００８】
　この印刷装置において、上記圧胴の周面に多数の吸着孔を有する多孔シートを着脱可に被装すると共に、多孔シートで被装された圧胴に該圧胴周面において開口する多数の
吸引孔
　　　【０００９】
　印刷用枚葉紙はこの圧胴と版胴間に導入し、上記多孔シートの表面に吸着して版胴による印刷を行う。上記多孔シートは印刷対象たる枚葉紙の大きさに応じ、吸着孔設置面積が異なる別のシートに交換して対応する。
　　　【００１０】
　上記圧胴には上記多孔シートを圧胴周面に密着せしめる緊張手段を設け、
この緊張手段として多孔シートの送り方向一端を把持する第１引留具と送り方向他端を把持する第２引留具を設ける。該第１，第２引留具は把持と把持解除とが可能な構造であり、且つ該第１，第２引留具を圧胴の周面に切設した収容部に収容して該収容部底壁にボルトによって着脱可能に取り付けると共に、該ボルトの回動により少なくとも一方の引留具を多孔シートに引張力を与える方向に微小移動可能な構造にした
　　　【００１１】
　
他方
断面Ｕ字形の金具から成る
該緊張手段を形成する第１，第２引留具を上記係止部材を形成する上記Ｕ字形金具の口縁部に係合して上記１，第２引留具の少なくとも一方の移動により多孔シートに引張力を確実に与える構成とした
　　　【００１２】
　　【作用】
　圧胴と版胴から成る印刷装置はロールから巻き出される帯状紙の印刷手段として用いられているが、本発明の如く枚葉紙を印刷対象とする場合であっても、上記構成の多孔シートの表面に的確に吸着して版胴又は版ベルトによる印刷を適正に行うことができると共に、枚葉紙の一端から他端までの任意の位置に印刷を施すことができ、殊に枚葉紙の端縁部付近への印刷が要求される印刷対象に対して適正に対応できる。
　　　【００１３】
　即ち本発明の上記構成によれば枚葉紙を圧胴と版胴から成る印刷装置に適正に適応でき、その利点を享受できる。
　　　【００１４】
　又圧胴に着脱自在に取り付けた多孔シートを交換することによって繰り返し使用による滅損に有効に対応でき、高価な圧胴を長期に亘り健全に使用できる。
　　　【００１５】
　又異なる吸着孔設置面積を有する多孔シートに交換することによって、圧胴の不要な吸引孔を閉鎖し上記吸着孔設置面積に対応する吸引孔のみを枚葉紙に作用させてこれを圧胴の周面の所定の位置に的確に捕捉し、適正なる印刷を行うことができると共に、多孔シートの交換により異なる大きさの印刷対象に対し、装置の大巾な改造を伴うことなく適切に対応でき、経済的である。
　　　【００１６】
　又圧胴表面に巻かれた多孔シートに枚葉紙を吸着しつつ、圧胴と版胴の回転送りにより印刷する方式であるから高精度の印刷を枚葉紙に施すことができる。
　　　【００１７】
　　【実施の形態】
　以下本発明の実施の形態を図１乃至図６に基いて説明する。
　　　【００１８】
　図１乃至図５は圧胴１と版胴２から成る印刷装置をその動作工程を以って示す図であり、図６は上記圧胴１に着脱可に被装される
多数
　　　【００１９】
　上記多孔シート３はゴム又は合成樹脂の如き、金属製圧胴１に比し圧縮弾性の高い柔軟性を有する方形のシートから成り、印刷対象たる枚葉紙５の大きさに応じた吸着孔設置面積を有する。
　　　【００２０】
　即ち図６に例示する如く一定の大きさを有する多孔シート３に等径の多数の吸着孔４を格子状に穿孔しており、この吸着孔設置面積と位置を印刷対象たる枚葉紙５の大きさに応じ選択する。図６は大きさが等しく吸着孔設置面積Ｓ１，Ｓ２，Ｓ３が異なる三種類の多孔シート３を示しており、これらは印刷用枚葉紙５の大きさに応じ適用される。
　　　【００２１】
　他方上記多孔シート３が被装される圧胴１周面には上記吸着孔４と相互に対応する等径の多数の吸引孔６が一定の扇形角度に亘って格子状に開口されており、上記多孔シート３を圧胴１に被装したとき、上記吸着孔４と吸引孔６は互いに同芯に対応し連通される。
　　　【００２２】
　上記多孔シート３は好ましくは透視可能なゴム又は合成樹脂シートにて形成し、上記吸着孔４と吸引孔６の肉視による適合作業を助ける。
　　　【００２３】
　上記圧胴１には軸方向に配列された吸引孔６群と連通する吸引通路７が軸方向に延設され、この吸引通路７及び吸引孔６の吸引領域を設定する吸引溝８が定位置に固定して設けられている。吸引エアーは圧胴１の回転に伴ない、吸引溝８を介して各吸引通路７に順次与えられ、これと連通する各吸引孔６及び各吸着孔４にシート吸着作用を順次与える。
　　　【００２４】
　更に上記圧胴１は上記多孔シート３を圧胴周面に密着せしめる緊張手段を備える。該緊張手段は図１に例示する如く、多孔シート３の送り方向一端を把持する第１引留具９と送り方向他端を把持する第２引留具１０とから成り、多孔シート３は両引留具９，１０により把持された状態で圧胴１周面に一定の扇形角を以って被装される。
　　　【００２５】
　上記両引留具９，１０は圧胴１の周面に切設した収容部１１に収容し、該収容部１１底壁に開閉可能に取り付けられる。即ち両引留具９，１０は把持と把持解除とが可能な構造であり、且つ少なくとも一方の引留具９又は１０を多孔シート３に引張力を与える方向に微小移動可能な構造とする。
　　　【００２６】
　圧胴周面には引留具９，１０の収容部１１間に亘って延在するシート収容部１２を形成し、多孔シート３を該シート収容部１２内に収容し、その両端を上記第１，第２引留具９，１０にて把持しつつ引張力を与えて圧胴周面即ち多孔シート収容部１２表面に密着せしめる。上記シート
収容部１２
　　　【００２７】
　上記第１，第２引留具９，１０はボルト１３，１４によって圧胴１に着脱可に取り付け、一方の引留具１０はボルト１４の回動によって進退可に取り付け、上記シートヘの引張力を付与する。
　　　【００２８】
　又第１，第２引留具９，１０は多孔シート３の両端を
クランプ
クランプ
クランプ
クランプ
クランプ
　　　【００２９】
　上記一対の
クランプ
クランプ
クランプ
　　　【００３０】
　図１は上記係止部材１６の適例として、多孔シート３の端縁を抱着するようにかしめ付けられた断面Ｕ形の金具を示しており、上記
クランプ
　　　【００３１】
　上記構成の圧胴１に版胴２を相対回転可に配する。版胴２は多孔シート３に印刷すべき版１７を備え、該版１７を圧胴１の上死点付近において圧胴１の周面に被装された多孔シート３の表面に押し付け、該多孔シート３の表面に吸着された枚葉紙５に印刷を施す。
　　　【００３２】
　上記版１７は一例として図１に示す如き、回転によってナンバーや記号の如き版面変更が可能な円筒形のロータリー形印版で形成し、このロータリー形印版を版胴２の周囲に間隔的に配し、版胴２の回転に伴ないその下死点付近で圧胴１と対向し、多孔シート３の表面に吸着された枚葉紙５に押し付けられる。
　　　【００３３】
　上記版１７たるロータリー形印版は版胴２の回転時には自転せず、版面変更の時のみ自転される。上記版胴２の版１７の構造は上記ロータリー形の他、版胴の表面に密着する平版を使用する等、既知の各種版形態を採り得る。又上記版胴２は圧胴１と極部的に接して無端回走せる版ベルトに置き換えることが可能である。
　　　【００３４】
　図１に示す如く、枚葉紙５は圧胴１と版胴２の入口側において無端回走せる搬送手段１８によって上記入口へ向け搬送され、その搬出端に圧胴１と対向して相対回転する枚葉紙供給ロール１９を設け、この枚葉紙５の先端表面を図２に示す如く該供給ロール１９に設けた吸着孔２０で吸着し、図３，図５に示すようにロール１９の回転に伴ないロール周面に沿いロール１９と圧胴１の対向面間に導入し、ロール１９により導入された枚葉紙５の前端を反対側の表面から多孔シート最前端の吸着孔４で吸着し、圧導１の周面へと引取る。
　　　【００３５】
　図４に示すように枚葉紙５は圧胴１の回転に伴ない、多孔シート３前端の吸着孔から後端の吸着孔へ向け順次吸着され、同シート３の表面に密着した状態で圧胴周面に沿い移送される。
　　　【００３６】
　図４に示すようにこの移送過程において版胴２の版１７が多孔シート３の表面に吸着された枚葉紙５の表面に押し付けられて所要の印刷が施される。この印刷は枚葉紙５の前端から後端に亘るどの位置にも施すことができ、殊に枚葉紙５の前端表面へのナンバーや記号等の印刷が可能である。
　　　【００３７】
　印刷後の枚葉紙５はその前端を圧胴１と版胴２の出口側に配した転着ロール２１の吸着孔２２で吸着して同ロール２１側へ引取り、同出口側において無端回走せる搬送手段２３上に供給し、次工程に移送する。上記印刷装置は複段に配して、上記搬送手段２３によって次段の印刷装置へ供給することができる。
　　　【００３８】
　上記枚葉紙５は搬送手段１８，２３によって搬送する時、枚葉紙５の前端又は後端に移動当て定規２４を用いることができる。この移動当て定規２４は搬送手段と共に移動して枚葉紙５の前端又は後端を規制し位置決めしつつ移送する手段である。この移動当て定規２４は図１に示す如き搬送手段１８と平行に無端走行されるチェーンの如きに間隔的に取り付けられる。
　　　【００３９】
　又搬送手段１８から供給ロール１９へのシート引取りと、供給ロール１９から圧胴周面の多孔シート３表面への引取りとを確実にするため、シート供給ロール１９の入口側に第１ガイド部材２５を、同ロール１９の出口側に第２ガイド部材２６を設ける。
　　　【００４０】
　上記第１ガイド部材２５は供給ロール１９のシート吸着開始位置付近からロール１９と圧胴１の対向位置付近へ亘りロール１９の外周弧面に沿って延びる弧形の第１ガイド面２７を有しており、第２ガイド部材２６は供給ロール１９と圧胴１の対向位置付近から圧胴１の外周弧面に沿って延びる第２ガイド面２８を有している。
　　　【００４１】
　図５に示すように、第１ガイド面２７の先端と第２ガイド面２８の先端とは圧胴１と供給ロール１９の対向位置付近において互いに喰い違い状態を形成するように配置されている。
　　　【００４２】
　即ち第１ガイド面２７の先端と第２ガイド面２８の先端は前者が供給ロール側に変位し、後者が圧胴１側へ変位するように相対位置をずらして配置され、両先端間に枚葉紙の通紙間隙２９を形成している。
　　　【００４３】
　図３，図５から理解されるように、シート供給ロール１９の吸着孔２０で吸着された枚葉紙５は第１ガイド面２７と供給ロール１９の周面との間に形成された通紙路３０を通り、更に通紙間隙２９において第２ガイド面２８の先端が枚葉紙５の前端を供給ロール１９の周面から離反させ圧胴１の周面と第２ガイド面２８間に形成された通紙路３１への導入を補助する。
　　　【００４４】
　又通紙間隙２９において前記多孔シート３の最前端の吸着孔４が枚葉紙５の前端を吸着し、、換言すると枚葉紙５の前端が第１ガイド面２７の先端を通過した直後に最前端の吸着孔４が枚葉紙５の前端を吸着し、上記第２ガイド面２８と協働しつつ圧胴１の回転に伴ない多孔シート３の外周面へ順次引き出すと共に、前端の吸着孔から後端へ向け一列に配された吸着孔が枚葉紙５の下面に順次作用し、枚葉紙５の全長を多孔シート３の表面に吸着するに至る。前述の通り、圧胴１の周面に枚葉紙を密着して確実に捕捉し移送する過程で版胴２による印刷がなされるのである。
　　　【００４５】
　　【発明の効果】
　上記印刷装置によれば枚葉紙を多孔シートの表面（圧胴周面）に的確に吸着して版胴又は版ベルトによる印刷を行うことができると共に、枚葉紙の一端から他端までの任意の位置に印刷を施すことができる。よって枚葉紙の端縁部付近への印刷が要求される印刷対象に対しても適正に対応でき、即ち枚葉紙を圧胴と版胴から成る印刷装置に適正に適応し、その利点を享受できる。
　　　【００４６】
　又圧胴に着脱自在に取り付けた多孔シートを交換することによって繰り返し使用による滅損に有効に対応でき、高価な圧胴を長期に亘り健全に使用できる。又異なる吸着孔設置面積を有する多孔シートに交換することによって、圧胴の不要な吸引孔を閉鎖し上記吸着孔設置面積に対応する吸引孔のみを枚葉紙に作用させてこれを圧胴の周面の所定の位置に的確に捕捉し、適正なる印刷を行うことができると共に、多孔シートの交換により異なる大きさの印刷対象に装置の大巾な改造を伴うことなく適切に対応でき、経済的である。
　　　【００４７】
　又圧胴表面に巻かれた多孔シートに枚葉紙を吸着しつつ、圧胴と版胴の回転送りにより高精度の印刷を枚葉紙に施すことができる。
【図面の簡単な説明】
　【図１】
　印刷装置を一部断面して示す側面図である。
　【図２】
　上記印刷装置を図１の次の動作工程を以って示す側面図である。
　【図３】
　上記印刷装置を図２の次の動作工程を以って示す側面図である。
　【図４】
　上記印刷装置を図３の次の動作工程を以って示す側面図である。
　【図５】
　図３における要部を拡大して示す側面図である。
　【図６】
　上記印刷装置の圧胴に被装する多孔シートの平面図である。
　【符号の説明】
１　　　　圧胴
２　　　　版胴
３　　　　多孔シート
４　　　　吸着孔
５　　　　印刷用枚葉紙
６　　　　吸引孔
９，１０　シート引留具